(57)【特許請求の範囲】
【請求項１】
プラスチック製元管の側部に接続するサドル部とサドル部の上面から立設する分岐管部とからなるプラスチック製の継手本体と、該継手本体の分岐管部に回転自在に密封接続した筒状で配管との接続端部を有す金属製のアダプターとからなり、
前記分岐管部の端部に、円筒内面と、外面におねじを設け、前記アダプターの筒状外面にパッキンを装着して前記分岐管部の円筒内面に密封装着し、筒状外面に係止した袋ナットを前記分岐管部のおねじに螺合して、前記継手本体と金属製アダプターとを密封接続し、
前記アダプターの筒状外面に突出部を２箇所設け、該２箇所の突出部間に前記袋ナットを係止した分岐用継手を用い、
前記分岐用継手を流体輸送中のプラスチック製元管に接続し、該元管路から分岐管路を設け、
前記分岐管路の必要性が終了した際には、前記袋ナットを緩めて前記アダプターを取外し、
その後、前記袋ナットに代えて、別の閉止キャップを取付けて閉止することを特徴とする分岐用継手を用いた分岐管路の取り出しおよび取り外し方法。
【請求項２】
請求項１において、さらに前記分岐管部内面には管用雌ねじを設け、該管用雌ねじにねじプラグを螺合して２重に閉止することを特徴とする分岐用継手を用いた分岐管路の取り出しおよび取り外し方法。
【請求項３】
請求項１において、さらに前記円筒内面に閉止栓を挿入して２重に閉止することを特徴とする分岐用継手を用いた分岐管路の取り出しおよび取り外し方法。
【請求項４】
前記２箇所の突起部は、Ｃ型止め輪で形成されることを特徴とする請求項１乃至３のいずれかに記載の分岐用継手を用いた分岐管路の取り出しおよび取り外し方法。
【請求項５】
前記継手本体は電気融着によって元管と接続されることを特徴とする請求項１乃至４のいずれかに記載の分岐用継手を用いた分岐管路の取り出しおよび取り外し方法。
【発明の詳細な説明】
【０００１】
【発明の属する技術分野】
本発明は、流体輸送中のプラスチック製元管に分岐用継手を接続して、元管を補修する際に元管の補修部を遮断しても流体輸送を継続するために分岐管路を設けて元管補修部のバイパス管路を取り出し、その後取り外す方法に関するものである。
【０００２】
【従来の技術】
従来から、金属製元管を対象とした金属製の分岐継手としては例えば特開平７−６３２９４号公報等種々のものがある。このものはボルトナットで機械的に元管に締結するものであり、プラスチック製元管に接続した場合は、元管が変形してシール性が低下し、ガス漏れ等の問題を起こす。
そこでプラスチック製元管の外周面に融着するための電熱線をサドルの内面に埋設したプラスチック製の電気融着式サドル継手も多数開示されている。このプラスチック製サドル継手の枝分岐管部にプラスチック管を接続する場合は、継手本体とプラスチック管が同じプラスチック製のため、互いにねじ締結や電気融着継手を用いた電気融着が行え、安全確実に接続できる。
しかしながら、例えばプラスチック製元管の損傷部を修理する場合など、元管を遮断してバイパス管を設置するため、一時的に金属管や金属製継手をプラスチック製継手本体の分岐管部に設けた管用雌ねじに、この金属管又は金属製継手の雄ねじを螺合して接続する場合がある。
【０００３】
【発明が解決しようとする課題】
上記のごとくプラスチック製継手本体の雌ねじに金属製の雄ねじを螺合した場合は、金属製雄ねじの強度がプラスチック製雌ねじに比べてはるかに大きいため、雄ねじの締付けトルクでプラスチック製雌ねじが損傷し、接続が行えなかったり、螺合接続部から漏れが発生したりして確実な接続施工が行えない問題がある。
そこでプラスチック製継手本体に設けた分岐配管とのねじ接続部に、雌ねじを刻設した金属製リングを本体に鋳包みして一体成形したり、又は雌ねじ付金属製リングをシールと抜止め廻り止め機構を介して継手本体に嵌着したものも見られる。
しかしながら金属管等の金属製雄ねじを螺合締結する締め付けトルクは非常に大きく、プラスチック製継手本体と雌ねじを刻設した金属製リングとの鋳包み又は嵌着結合が破壊して、嵌着部から漏れを起こしたり、不充分な締め付け状態でしか螺合接続できなかったりする問題がある。
本発明は上記の課題を解消して、プラスチック製元管に金属製の分岐管を分岐取り出し配管施工する場合でも、確実な接続が行えて分岐管施工が簡単容易に行える分岐用継手を用いた分岐管路の取り出しおよび取り外し方法を提供する。
【０００４】
【課題を解決するための手段】
本発明の要旨は、プラスチック製元管の側部に接続するサドル部とサドル部の上面から立設する分岐管部とからなるプラスチック製の継手本体と、該継手本体の分岐管部に回転自在に密封接続した筒状で配管との接続端部を有す金属製のアダプターとからなり、前記分岐管部の端部に、円筒内面と、外面におねじを設け、前記アダプターの筒状外面にパッキンを装着して前記分岐管部の円筒内面に密封装着し、筒状外面に係止した袋ナットを前記分岐管部のおねじに螺合して、前記継手本体と金属製アダプターとを密封接続し、前記アダプターの筒状外面に突出部を２箇所設け、該２箇所の突出部間に前記袋ナットを係止した分岐用継手を用い、前記分岐用継手を流体輸送中のプラスチック製元管に接続し、該元管路から分岐管路を設け、前記分岐管路の必要性が終了した際には、前記袋ナットを緩めて前記アダプターを取外し、その後、前記袋ナットに代えて、別の閉止キャップを取付けて閉止することを特徴とする分岐用継手を用いた分岐管路の取り出しおよび取り外し方法である。
上記において、さらに、前記分岐管部内面には管用雌ねじを設け、該管用雌ねじにねじプラグを螺合して２重に閉止する、または前記円筒内面に閉止栓を挿入して２重に閉止することができる。
上記において、前記２箇所の突起部は、Ｃ型止め輪で形成することができる。
上記において、前記継手本体は電気融着によって元管と接続されることを特徴とする分岐用継手を用いた分岐管路の取り出しおよび取り外し方法である。
【０００５】
【作用】
本発明は上記の構成であって、プラスチック製の継手本体に配管接続端部を有す金属製のアダプターが回転自在に密封接続されている。このため、金属製アダプターに設けた接続用雌ねじ又は雄ねじに、金属管や金属製継手の接続ねじが螺合接続され、分岐配管が行われる。
アダプターは金属製で、このアダプターの金属製ねじに管や管継手の金属製ねじが螺合接続されるから、このねじ接続部は同じ金属製の雄ねじと雌ねじとの螺合締結であり、漏れのない安全なかつ確実強固なねじ締結接続が行える。
またこのアダプターはプラスチック製の継手本体と回転自在に密封接続されているから、このアダプターに金属管や金属製継手を螺合接合する際に作業性がよく、また分岐配管後の取付け配置上も融通が利くので施工性が良い。
【０００６】
また継手本体とねじアダプターとの接続部は、ねじアダプターに係止した袋ナットをサドル本体の雄ねじに締結してあり、継手本体とねじアダプターとは組み立て及び分離が容易に可能である。このため分岐取り出し配管の用途が終了後に、例えばバイパス配管を撤去したあと、継手本体の分岐管部の取り外しが容易に行え、また袋ナットに代えてキャップを螺合して分岐管部を容易に閉止でき、また再取出しも容易で、配管施工性がよい。
またアダプターの筒状外面に突出部を２箇所設け、該２箇所の突出部間に袋ナットを係止したから、袋ナットを締めつけてアダプターを継手本体に確実に固定でき、また袋ナットを緩めることにより、アダプターが袋ナットに係止されているので袋ナットに伴ってアダプターも継手本体から離脱し、アダプターの継手本体からの取り外しも容易である。
また継手本体は電気融着によって元管と接続されることにより、確実に元管に融着される。
【０００７】
【発明の実施の形態】
以下図面を参照しながら本発明の実施例を詳細に説明する。図１乃至図４は本発明に用いられる分岐用継手であって、分岐サドル継手を示す。
図１において、サドル継手本体１０はポリエチレン等の熱可塑性樹脂製で、サドル部１１の内面に電熱線１２を埋設してあり、プラスチック製元管の外面に跨って元管の外面に融着する。サドル部１１の外面中央に分岐管部１３を突設してあり、分岐管部１３の内面は端部から順に円筒内面１４、管用雌ねじ１５を形成し、分岐管部１３の外面には雄ねじ１６を形成してある。
【０００８】
２０は鋼製のアダプターで、一端は分岐取出し管を接続するための管用雌ねじ２１を設け、他端はサドル継手本体１０と接続される筒部２２となっている。筒部２２の外周は先端から順に、管用雌ねじ１５の内径より小さい外径の案内筒部２３、分岐管部１３の円筒内面１４に装着される円筒外面２４、円筒外面２４に装着したゴムパッキン２５、円筒外面２４に係止溝を設けて嵌着したＣ型止め輪２６、Ｃ型止め輪２６に係止する樹脂製の袋ナット２７、袋ナット２７の顎２８の幅より幅広の位置で余裕を持った位置に係止溝を設けてＣ型止め輪２９を嵌着してある。更にＣ型止め輪２９の上部に袋ナット２７が挿通できる外周面３０を設けてある。
【０００９】
図２乃至図４はアダプター２０に袋ナット２７を係止する手順を示し、まず図２の様にアダプタ２０を用意し、先端からＣ型止め輪２９を装着して上奥まで移動させておく。
次いで図３の様に袋ナット２７を装着してアダプター２０の上奥まで移動させる。この状態でアダプター２０外面の環状溝にゴムパッキン２５を装着し、更にＣ型止め輪２６を嵌着する。Ｃ型止め輪２６の外径は袋ナット２７の顎２８に係止する外径である。
次いで図４のごとく袋ナット２７を下降してＣ型止め輪２９をアダプター２０の環状溝に嵌着する。
【００１０】
これでねじアダプター２０に袋ナット２７が係止されたので、このねじアダプター２０をサドル本体の分岐管部１３内面に装着し、袋ナット２７を分岐管外面の雄ねじ１６に螺合する。以上でサドル本体１０と金属製アダプター２０はパッキン２５によって密封接続される。また袋ナット２７を完全に締めて固定する迄は、アダプター２０はサドル本体１０に対して回転可能であり、アダプター２０の配管接続雌ねじ２１に金属製の分岐管を配管接続する際も施工性がよい。
【００１１】
尚、例えば金属製アダプター２０に接続する分岐管路の用途、例えばバイパス管の必要性が終了した際はバイパス管路を撤去する必要があるが、分岐管部１３に螺合している袋ナット２７を緩めると、袋ナットの顎２８がアダプターのＣ型止め輪２９に係止してアダプター２０が引き上げられ、共に分岐管部１３から外される。この後、サドル本体分岐管部１３内面に設けた管用雌ねじ１５に樹脂製のねじプラグを螺合して閉止でき、又は分岐管部１３内面に設けた円筒内面１４にパッキン付の閉止栓を挿入して閉止でき、更に分岐管部１３外面の雄ねじ１６に袋ナット２７に代えて別の閉止キャップを螺合して、分岐管部１３からの漏れがないように、２重に完全閉止される。
【００１２】
【発明の効果】
以上詳述した様に、本発明による分岐用継手を用いた分岐管路の取り出しおよび取り外し方法は、プラスチック製元管に金属製の分岐管を分岐取り出し配管する場合でも、金属製の分岐管と漏れのない、安全で確実強固な接続が行え、また分岐管の配管施工、及び分岐管を取り外した後の分岐管部の閉止施工も容易に確実に行えるものである。
【図面の簡単な説明】
【図１】  本発明の一実施例を示す分岐用サドル継手の断面図である。
【図２】  本発明の一実施例のねじアダプター２０を示す図である。
【図３】  本発明の一実施例のねじアダプター２０に、袋ナット２７，ゴムパッキン２５，Ｃ型止め輪２６を装着した状態を示す図である。
【図４】  図３の状態から袋ナット２７を下げてＣ型止め輪２９を装着した状態を示す図である。
【符号の説明】
１０  サドル本体              １１  サドル部
１２  電熱線                  １３  分岐管部
１４  円筒内面                １５  管用雌ねじ
１６  雄ねじ                  ２０  ねじアダプター
２１  分岐管接続用雌ねじ      ２２  筒部
２３  案内外面                ２４  円筒外面
２５  ゴムパッキン            ２６、２９  Ｃ型止め輪
２７  袋ナット                ２８  袋ナットの顎部
３０  袋ナット挿通外面
【図１】
0004540023.tif 000002
【図２】
0004540023.tif 000003
【図３】
0004540023.tif 000004
【図４】
0004540023.tif 000005